(57)【要約】      （修正有）【課題】クリップで紙幣を狭着するのと同様に紙幣を確実に狭着可能に構成され、クリップが皮革等からなる紙幣カバー部の上からでも存在が認識でき、ポケット内から胸部又は腹部を圧迫することがなく、クリップを製造するための製造コストが嵩むことのない財布を提供する。【解決手段】長さ方向中間部１１において折りたたみ可能に形成された平面略長方形状の基材部１２と、上記基材部の長さ方向に沿って形成され、上記基材部の幅方向下端部１３において幅方向に沿って回動可能に固定され、上記基材部を被覆しうる押さえ部１４とを有し、紙幣を上記基材部と上記押さえ部との間に収納可能に構成する。【選択図】図１
0003181913.tif 000002
【実用新案登録請求の範囲】
【請求項１】
長さ方向中間部において折りたたみ可能に形成された平面略長方形状の基材部と、上記基材部の長さ方向に沿って形成され、上記基材部の幅方向下端部において幅方向に沿って回動可能に固定され、上記基材部を被覆しうる押さえ部とを有し、紙幣を上記基材部と上記押さえ部との間に収納可能に構成されていることを特徴とする財布。
【請求項２】
上記押さえ部は、平面方形状に形成されていると共に上記長さ方向中間部を介して基材部の長さ方向に一対に設けられ上記押さえ部の両端部は開放されていることを特徴とする請求項１記載の財布。
【請求項３】
上記押さえ部は、カード入れとして形成されていることを特徴とする請求項２記載の財布。
【請求項４】
上記押さえ部は、厚さ方向に複数連設されていることを特徴とする請求項  ３記載の財布。
【請求項５】
上記基材部と上記押さえ部との間には、上記基材部及び上記押さえ部の下端部において基材部の幅方向に沿って回動可能に固定され、収納された紙幣を隔離しうる仕切り片部が設けられていることを特徴とする請求項２記載の財布。
【請求項６】
上記仕切り片部の両端部は開放されていることを特徴とする請求項５記載の財布。
【請求項７】
上記仕切り片部は、厚さ方向に複数連設されていることを特徴とする請求項  ６記載の財布。
【考案の詳細な説明】
【技術分野】
【０００１】
本考案は、財布に関する。
【背景技術】
【０００２】
従来より、平面略長方形状に形成され、長さ方向中間部に形成された折曲部において長さ方向に沿って二つ折りできる紙幣カバー部と、前記折曲部に取り付けられた紙幣挟着クリップ部とを備えた財布がある。
【０００３】
前記紙幣挟着クリップ部は、針金状に形成されており、前記紙幣カバー部の背面側に配置され前記紙幣カバー部に係合固定される固定部と、前記紙幣カバー部の前面側に配置され紙幣を前記紙幣カバー部に対して押圧固定しうる押圧部とを有することを特徴とする財布が開示されている。（特許文献１）。
【０００４】
このような財布によれば、固定部により紙幣挟着クリップ部を紙幣カバー部に確実に固定することができ、かつ、押圧部により紙幣カバー部に対して紙幣が押圧固定されるので、確実に紙幣を挟み込み収納することができるようになっている。
【特許文献１】実用新案登録３１７１２２８号公報
【考案の開示】
【考案が解決しようとする課題】
【０００５】
しかしながら、前記財布は、クリップによって紙幣を狭着する構成をしていることで、財布を衣服のポケットに入れ携帯する場合、針金状に形成されたクリップが皮革等からなる紙幣カバー部の上からでも存在が認識でき、ポケット内から胸部又は腹部を圧迫することから快適ではなかった。
【０００６】
また、財布の生地以外にクリップを製造するための製造コストが嵩むという不具合があった。
【０００７】
本考案はこのような従来からの不具合を解決するためのものであって、その課題は、クリップで紙幣を狭着するのと同様に紙幣を確実に狭着可能に構成され、クリップが皮革等からなる紙幣カバー部の上からでも存在が認識でき、ポケット内から胸部又は腹部を圧迫することがない財布を提供することにある。
【０００８】
さらに、クリップを製造するための製造コストが嵩むことのない財布を提供することにある。
【課題を解決するための手段】
【０００９】
上記課題達成のため、請求項１記載の考案にあっては、長さ方向中間部において折りたたみ可能に形成された平面略長方形状の基材部と、上記基材部の長さ方向に沿って形成され、上記基材部の幅方向下端部において幅方向に沿って回動可能に固定され、上記基材部を被覆しうる押さえ部とを有し、紙幣を上記基材部と上記押さえ部との間に収納可能に構成されていることを特徴とする。
【００１０】
請求項２記載の考案にあっては、上記押さえ部は、平面方形状に形成されていると共に上記押さえ部の両端部は開放されていることを特徴とする。
【００１１】
請求項３記載の考案にあっては、上記押さえ部は、カード入れとして形成されていることを特徴とする。
【００１２】
請求項４記載の考案にあっては、上記押さえ部は、厚さ方向に複数連設されていることを特徴とする。
【００１３】
請求項５記載の考案にあっては、上記基材部と上記押さえ部との間には、上記基材部及び上記押さえ部の下端部において基材部幅方向に沿って回動可能に固定され、収納された紙幣を隔離しうる仕切り片部が設けられていることを特徴とする。
【００１４】
請求項６記載の考案にあっては、上記仕切り片部の両端部は開放されていることを特徴とする。
【００１５】
請求項７記載の考案にあっては、上記仕切り片部は、厚さ方向に複数連設されていることを特徴とする。
【考案の効果】
【００１６】
請求項１記載の考案にあっては、上記基材部の幅方向下端部において幅方向に沿って回動可能に固定された上記基材部を被覆しうる押さえ部とを有しており、紙幣を上記基材部と上記押さえ部との間に収納し易いと共に、取り出し易い。
【００１７】
通常の財布は上記押さえ部の両端部と、例えばカード収納部等の外方端部が固定されていたことから、多くの紙幣が収納されている場合、指を中に入れて紙幣を取り出す作業が煩わしかった。
【００１８】
しかしながら、請求項２記載の考案にあっては、上記押さえ部は、平面方形状に形成されていると共に上記押さえ部の両端部は開放されて、紙幣を上記基材部と上記押さえ部との間に収納する際、上記押さえ部が上記基材部に対して１８０度拡開するため、多くの紙幣を収納し易い。
【００１９】
また、上記押さえ部の両端部が開放されていることで、多くの紙幣が収納されている場合であっても、煩わしい作業をすることなく、多数の紙幣の中から希望する紙幣を容易に選んで取り出すことができる。
【００２０】
請求項３記載の考案にあっては、上記押さえ部は、カード入れとして形成されているため、上記基材部との間で紙幣を挟持する機能だけでなく、クレジットカードなども収納できる。
【００２１】
請求項４記載の考案にあっては、上記押さえ部は、厚さ方向に複数連設されており、上記クレジットカードなどを多数枚、収納できる。
【００２２】
また、上記押さえ部が、複数連設されていることで、複数または１つのみの上記押さえ部だけを回動させることもできるため、複数の上記押さえ部で紙幣を押えつつ、１つのみの上記押さえ部を回動させることで、どの様な種類の紙幣が収納されているか確認することもできる。
【００２３】
さらに、一度に全ての上記押さえ部を回動させ過ぎて紙幣を取り出そうとすると、上記紙幣を抑えているものがなくなり、上記紙幣が落下してしまうことがあるため、複数の上記押さえ部を回動させず、１つのみの上記押さえ部だけを回動させて上記紙幣を露出させることで、上記紙幣を落下させずに取り出すことができる。
【００２４】
請求項５記載の考案にあっては、上記基材部と上記押さえ部との間には、上記基材部及び上記押さえ部の下端部において基材部幅方向に沿って回動可能に固定され、収納された紙幣を隔離しうる仕切り片部が設けられているため、複数の上記紙幣を収納することができる。
【００２５】
また、上記仕切り片部が設けられていることで、自分の好みに合った種類、または金額ごとに分かれた紙幣を夫々分けて収納することができるため、使用する金額の状況に応じて適切な紙幣の出し入れをすることができる。
【００２６】
請求項６記載の考案にあっては、上記仕切り片部の両端部は開放されているため、上記仕切り片部は大きく拡開することができるため、上記仕切り片部を隔てて収納され、種類ごとに分かれた多くの紙幣を出し入れしやすい。
【００２７】
請求項７記載の考案にあっては、上記仕切り片部は、厚さ方向に複数連設されているため、複数連設されている上記仕切り片部の数だけ、自分の好みに合った種類、または金額ごとに多くの紙幣を収納することができる。
【図面の簡単な説明】
【００２８】
【図１】本考案に係る財布における一実施の形態を示す平面図である。
【図２】本考案に係る財布における一実施の形態を示す平面図である。
【図３】本考案に係る財布における一実施の形態を示す平面図である。
【図４】本考案に係る財布における一実施の形態を示す平面図である。
【図５】本考案に係る財布における一実施の形態を示す平面図である。
【図６】本考案に係る財布における一実施の形態を示す平面図である。
【図７】本考案に係る財布における一実施の形態を示す平面図である。
【考案を実施するための最良の形態】
【００２９】
以下、添付図面に示す実施の形態に基づき、本考案を詳細に説明する。
【００３０】
図１、２に示すように、本実施の形態に係る財布１０は、長さ方向中間部１１において折りたたみ可能に形成された平面略長方形状の基材部１２と、基材部１２の長さ方向に沿って形成され、基材部１２の幅方向下端部１３において幅方向に沿って回動可能に固定され、基材部１２を被覆しうる押さえ部１４、１４とを有し、紙幣を基材部１２と押さえ部１４、１４との間に収納可能に構成されている。
【００３１】
また、図１、２に示すように、押さえ部１４、１４は、平面方形状に形成されていると共に押さえ部１４、１４の長さ方向両端部１５、１５、１５、１５は開放されている。
【００３２】
また、図１、及び図３乃至図５に示すように、押さえ部１４、１４、１６a、１６b、１６c、１６dは、カード入れ１７、１７、１８、１８、１８、１８として形成されている。
【００３３】
図３乃至図６に示すように、押さえ部１６a、１６b、１６c、１６dは、厚さ方向に複数連設されている。
【００３４】
また、図３乃至図６に示すように、基材部１９と上記押さえ部１６a、１６b、１６c、１６dとの間には、基材部１９及び押さえ部１６a、１６b、１６c、１６dの下端部２０において基材部１９の幅方向に沿って回動可能に固定され、収納された紙幣を隔離しうる仕切り片部２１が設けられている。
【００３５】
図５乃至図７に示すように、仕切り片部２１の両端部２２、２２は開放されている。
【００３６】
また、図５乃至図７に示すように、仕切り片部２１は、厚さ方向に複数連設されている。
【実施例１】
【００３７】
以下に、図面を用いて本実施例について詳細を説明する。
【００３８】
図１、２に示すように、本実施の形態に係る財布１０は、長さ方向中間部１１において、小型に形成し持ち運びできるよう折りたたみ可能に形成された平面略長方形状の基材部１２を有する。
【００３９】
また、図１、２に示すように、基材部１２の長さ方向に沿って形成され、基材部１２の幅方向下端部１３において幅方向に沿って略１８０度回動可能に縫合固定され、基材部１２を被覆しうる押さえ部１４、１４を有する。
【００４０】
財布１０は、紙幣を基材部１２と押さえ部１４、１４との間で挟持する事で、上記紙幣を収納できるよう構成されている。
【００４１】
また、図１、２に示すように、押さえ部１４、１４は、平面横長長方形状に形成されていると共に、押さえ部１４、１４の両端部１５、１５、１５、１５は基材部１２に縫合固定されておらず、開放されている。
【００４２】
また、図１に示すように、本実施例においては上記押さえ部１４、１４は、クレジットカードや身分証明書などのカードを収納可能なカードケース１７、１７として形成されている。
【００４３】
以下、本実施の形態に係る財布１０の作用及び効果について説明する。
【００４４】
財布１０は、小型に折り畳み可能なため、衣服等に入れて持ち歩くことが可能であり、基材部１２と押さえ部１４、１４との間に紙幣を挟んだ状態で折り畳むことによって紙幣を確実に挟持することができるため、財布１０から紙幣が容易に落下することがない。
【００４５】
財布１０の押さえ部１４、１４は、基材部１２を被覆し紙幣を間に挟持することができ、略１８０度回動するよう拡開できるため、多くの紙幣を急いで収納したい場合、押さえ部１４、１４を大きく拡開すれば、容易に多くの紙幣を収納できる。
【００４６】
従来の財布は、押さえ部１４、１４の両端部１５、１５、１５、１５、と、例えばカード収納部等の外方端部が固定されていたことから、多くの紙幣が収納されている場合、指を中に入れて紙幣を取り出す作業が煩わしかった。
【００４７】
しかしながら、両端部１５、１５、１５、１５が開放されていると共に、幅方向下端部１３を中心に適宜回動させることで、紙幣を基材部１２の幅方向に対して出し入れすることができるだけでなく、長さ方向に対しても出し入れすることでき、従来の財布に比して容易に札を出し入れすることができる。
【００４８】
財布１０の幅方向両端を手で把持しており、紙幣を基材部１２の幅方向に対して出し入れが難しい等の状況の場合でも、基材部１２の幅方向、または長さ方向に対して紙幣を出し入れすることができ、使い勝手の良い財布を提供できる。
【実施例２】
【００４９】
本実施例に係る財布５０にあっては、図３乃至図６に示すように、財布５０の押さえ部１６a、１６b、１６c、１６dは、押さえ部１６a、１６b、１６c、１６dが２部ずつ重なるよう厚さ方向に基材部１９の下端部２０において基材部１９に重ねて縫合固定されて、複数連設されている。
【００５０】
また、図３乃至図６に示すように、押さえ部１６a、１６b、１６c、１６dは、平面横長長方形状に形成されていると共に、押さえ部１６a、１６b、１６c、１６dは基材部１９の下端部２０を中心に回動すると共に、両端部２３、２３、２３、２３、２３、２３、２３、２３は、基材部１９に縫合固定されることなく開放されている。
【００５１】
また、図３乃至図６に示すように、財布５０の基材部１９と押さえ部１６a、１６b、１６c，１６dとの間には、基材部１９及び押さえ部１６a、１６b、１６c、１６dの下端部２０において基材部１９の幅方向に沿って、略１８０度回動可能に固定され、収納された紙幣を隔離しうる平面略長方形状の仕切り片部２１が設けられている。
【００５２】
また、財布５０は、押さえ部１６dの長さ方向一端部２４から延設され、上記長さ方向一端部２４を中心に回動すると共に、仕切り片部２１との間で紙幣を挟持可能な平面略台形状の上記仕切り片部２１よりも小型の仕切り片部２５が設けられている。
【００５３】
図５乃至図７に示すように、財布５０の仕切り片部２１は、基材部１９の下端部２０を中心に回動すると共に、仕切り片部２１、２５の両端部２２、２２、２６、２６は、基材部１９に縫合固定されることなく開放されている。
【００５４】
また、図５乃至図７に示すように、財布５０の仕切り片部２１、２５は、厚さ方向に下端部において基材部１９に重ねて縫合固定されて複数連設されている。
【００５５】
以下、本実施の形態に係る財布５０の作用及び効果について説明する。
【００５６】
財布５０は、基材部１９との間で紙幣を挟持可能な押さえ部１６a、１６b、１６c、１６dが２枚ずつ重なるよう厚さ方向に複数連設されているため、基材部１９との間で紙幣を挟持するだけでなく、押さえ部１６a、１６bと押さえ部１６c、１６dの間でも、紙幣および紙幣サイズのレシートなど紙類でも挟持することができる。
【００５７】
押さえ部１６a、１６b、１６c、１６dの両端部２３、２３、２３、２３、２３、２３、２３、２３は、開放されており、基材部１９の下端部２０において、基材部１９の幅方向に沿って略１８０度回動可能に固定されているため、基材部１９の幅方向に対してだけでなく、長さ方向に対して紙幣やレシートなどの紙類を出し入れできる。
【００５８】
押さえ部１６a、１６b、１６c、１６dが、基材部１９の厚さ方向に複数連設されていると共に、仕切り片部２１、２５が基材部１９と押さえ部１６a、１６b、１６c、１６dの間に設けられているので、自分の好みの紙幣や紙幣の金額によって、多数の紙幣を分別して挟持することができる。
【００５９】
仕切り片部２１、２５は、基材部１９の下端部２０において基材部１９の幅方向に沿って、略１８０度回動可能に固定されているため、多種類かつ多数枚の紙幣を急いで収納したい場合、押さえ部１６a、１６b、１６c、１６dと仕切り片部２１、２５の空間も使用し効率良くかつ分別可能に収納することができる。
【００６０】
また、仕切り片部２１、２５の両端部２２、２２、２６、２６は、開放されており、略１８０度回動可能に固定されているため、両端部２３、２３、２３、２３、２３、２３、２３、２３が開放されている押さえ部１６a、１６b、１６c、１６dと合わせて、基材部１９の幅方向に対してだけでなく、長さ方向に対して多種類かつ多数枚の紙幣やレシートなどの紙類を分別して出し入れできる。
【００６１】
尚、上記各実施例では、上記押さえ部１４、１４、１６a、１６b、１６c、１６dがカード入れとして形成されている場合を例に説明したが、上記実施例に限定されず、例えばコインケースとして形成されてもよい。
【産業上の利用可能性】
【００６２】
本考案は、クリップで紙幣を狭着するのと同様に紙幣を確実に狭着可能に構成され、クリップが皮革等からなる紙幣カバー部の上からでも存在が認識でき、ポケット内から胸部又は腹部を圧迫することがなく、さらに、クリップを製造するための製造コストが嵩むことのないよう財布に広く適用することができるため、産業上の利用可能性を備えている。
【符号の説明】
【００６３】
１０ 財布
１１ 長さ方向中間部
１２ 基材部
１３ 幅方向下端部
１４ 押さえ部
１５ 両端部
１６a 押さえ部
１６b 押さえ部
１６c 押さえ部
１６d 押さえ部
１７ カード入れ（押さえ部）
１８ カード入れ（押さえ部）
１９ 基材部
２０ 下端部
２１ 仕切り片部
２２ 両端部
２３ 両端部
２４ 長さ方向一端部
２５ 仕切り片部
２６ 両端部
５０ 財布
【図１】
0003181913.tif 000003
【図２】
0003181913.tif 000004
【図３】
0003181913.tif 000005
【図４】
0003181913.tif 000006
【図５】
0003181913.tif 000007
【図６】
0003181913.tif 000008
【図７】
0003181913.tif 000009